(57)【要約】【課題】媒体片が自重によって挟持部から外れることを抑制できるプリンタを提供する。【解決手段】プリンタのＣＰＵは、媒体種類を取得する（Ｓ１２）。ＣＰＵは、第一媒体片量特定テーブルに基づいて、取得された媒体種類に応じた媒体片量である第一媒体片量を特定する（Ｓ２１）。ＣＰＵは、印刷情報に基づく媒体片量である第二媒体片量が、特定された第一媒体片量を超えるか否かを判断する（Ｓ２３）。ＣＰＵは、第二媒体片量が第一媒体片量を超えないと判断した場合（Ｓ２３：ＮＯ）、印刷処理を実行する（Ｓ２４）。ＣＰＵは、第二媒体片量が第一媒体片量を超えると判断した場合（Ｓ２３：ＹＥＳ）、超過時処理を実行する（Ｓ２５）。【選択図】図６
2020142450.tif 000002
【特許請求の範囲】
【請求項１】
媒体に印刷を行う印刷部と、
前記媒体を搬送方向に沿って搬送する搬送部と、
前記印刷部および前記搬送部よりも前記搬送方向下流に設けられ、前記媒体をフルカットするフルカッタと、
前記フルカッタよりも前記搬送方向下流に設けられ、前記媒体を挟持する挟持部と、
前記媒体の種類を取得する取得手段と、
前記フルカッタによってフルカットされることで作成される前記媒体である媒体片に基づく量である媒体片量が前記媒体の種類毎に定められたテーブルに基づいて、前記取得手段によって取得された前記媒体の種類に応じた前記媒体片量である第一媒体片量を特定する特定手段と、
前記印刷部による前記媒体への印刷を行うための印刷情報に基づく前記媒体片量である第二媒体片量が、前記特定手段によって特定された前記第一媒体片量を超えるか否かを判断する判断手段と、
前記第二媒体片量が前記第一媒体片量を超えないと前記判断手段によって判断された場合、第一処理を実行する第一実行手段と、
前記第二媒体片量が前記第一媒体片量を超えると前記判断手段によって判断された場合、第二処理を実行する第二実行手段と
を備えたことを特徴とするプリンタ。
【請求項２】
媒体に印刷を行う印刷部と、
前記媒体を搬送方向に沿って搬送する搬送部と、
前記印刷部よりも前記搬送方向下流に設けられ、前記媒体をフルカットするフルカッタと、
前記フルカッタよりも前記搬送方向下流に設けられ、前記媒体を挟持する挟持部と、
前記媒体の種類を取得する取得手段と、
前記フルカッタによってフルカットされることで作成される前記媒体である媒体片に基づく量である媒体片量を前記媒体の種類に応じて算出するための算出式に基づいて、前記取得手段によって取得された前記媒体の種類に応じた前記媒体片量である第一媒体片量を算出する算出手段と、
前記印刷部による前記媒体への印刷を行うための印刷情報に基づく前記媒体片量である第二媒体片量が、前記算出手段によって算出された前記第一媒体片量を超えるか否かを判断する判断手段と、
前記第二媒体片量が前記第一媒体片量を超えないと前記判断手段によって判断された場合、第一処理を実行する第一実行手段と、
前記第二媒体片量が前記第一媒体片量を超えると前記判断手段によって判断された場合、第二処理を実行する第二実行手段と
を備えたことを特徴とするプリンタ。
【請求項３】
前記第二処理では、
前記印刷情報に基づいて、印刷順に並ぶ複数のイメージのそれぞれの間を示す区切り位置が、前記第一媒体片量に対応する基準位置までにあるか否かが判断され、
前記基準位置までに前記区切り位置があると判断された場合、前記印刷情報に基づいて前記印刷部によって前記媒体への印刷が行われた後、前記基準位置までにある少なくとも１つの前記区切り位置のうち前記基準位置に最も近い前記区切り位置である特定区切り位置に対応する位置が前記挟持部によって挟持され、
前記媒体が前記特定区切り位置において前記フルカッタによってフルカットされることを特徴とする請求項１または２に記載のプリンタ。
【請求項４】
前記印刷部よりも前記搬送方向下流、且つ前記挟持部よりも前記搬送方向上流に設けられ、前記挟持部によって挟持された前記媒体をハーフカットするハーフカッタを備え、
前記区切り位置は、前記ハーフカッタによってハーフカットされる位置であることを特徴とする請求項３に記載のプリンタ。
【請求項５】
前記第二処理では、報知部による報知が行われることを特徴とする請求項１から４のいずれかに記載のプリンタ。
【発明の詳細な説明】
【技術分野】
【０００１】
本発明は、プリンタに関する。
【背景技術】
【０００２】
特許文献１に記載のプリンタでは、媒体に印刷が行われる。印刷された媒体は、挟持部まで搬送され、挟持部によって挟持される。挟持された媒体は、切断部によって切断される。切断されることで作成される媒体（以下、「媒体片」という。）は、次の印刷が実行されるまで挟持部によって挟持された状態が維持される。ユーザは、媒体片を挟持部から取り外した後、次の印刷を実行する。
【先行技術文献】
【特許文献】
【０００３】
【特許文献１】特開２０１７−４３４８０号公報
【発明の概要】
【発明が解決しようとする課題】
【０００４】
例えば切断されるまでの間に印刷される媒体の長さが長い場合、媒体片の長さが長くなる。この場合、ユーザが挟持部から取り外すまでに、媒体片が自重によって挟持部から外れる可能性がある。
【０００５】
本発明の目的は、媒体片が自重によって挟持部から外れることを抑制できるプリンタを提供することである。
【課題を解決するための手段】
【０００６】
本発明の第一態様に係るプリンタは、媒体に印刷を行う印刷部と、前記媒体を搬送方向に沿って搬送する搬送部と、前記印刷部および前記搬送部よりも前記搬送方向下流に設けられ、前記媒体をフルカットするフルカッタと、前記フルカッタよりも前記搬送方向下流に設けられ、前記媒体を挟持する挟持部と、前記媒体の種類を取得する取得手段と、前記フルカッタによってフルカットされることで作成される前記媒体である媒体片に基づく量である媒体片量が前記媒体の種類毎に定められたテーブルに基づいて、前記取得手段によって取得された前記媒体の種類に応じた前記媒体片量である第一媒体片量を特定する特定手段と、前記印刷部による前記媒体への印刷を行うための印刷情報に基づく前記媒体片量である第二媒体片量が、前記特定手段によって特定された前記第一媒体片量を超えるか否かを判断する判断手段と、前記第二媒体片量が前記第一媒体片量を超えないと前記判断手段によって判断された場合、第一処理を実行する第一実行手段と、前記第二媒体片量が前記第一媒体片量を超えると前記判断手段によって判断された場合、第二処理を実行する第二実行手段とを備える。
【０００７】
第一態様によれば、プリンタは、第二媒体片量が第一媒体片量を超えるか否かに応じて異なる処理を実行できる。よって、プリンタは、媒体片が自重によって挟持部から外れることを抑制できる。
【０００８】
本発明の第二態様に係るプリンタは、媒体に印刷を行う印刷部と、前記媒体を搬送方向に沿って搬送する搬送部と、前記印刷部および前記搬送部よりも前記搬送方向下流に設けられ、前記媒体をフルカットするフルカッタと、前記フルカッタよりも前記搬送方向下流に設けられ、前記媒体を挟持する挟持部と、前記媒体の種類を取得する取得手段と、前記フルカッタによってフルカットされた前記媒体である媒体片に基づく量である媒体片量を前記媒体の種類に応じて算出するための算出式に基づいて、前記取得手段によって取得された前記媒体の種類に応じた前記媒体片量である第一媒体片量を算出する算出手段と、前記印刷部による前記媒体への印刷を行うための印刷情報に基づく前記媒体片量である第二媒体片量が、前記算出手段によって算出された前記第一媒体片量を超えるか否かを判断する判断手段と、前記第二媒体片量が前記第一媒体片量を超えないと前記判断手段によって判断された場合、第一処理を実行する第一実行手段と、前記第二媒体片量が前記第一媒体片量を超えると前記判断手段によって判断された場合、第二処理を実行する第二実行手段とを備える。第二態様は第一態様と同様の効果を奏することができる。
【０００９】
本発明の第一態様および第二態様に係るプリンタにおいて、前記第二処理では、前記印刷情報に基づいて、印刷順に並ぶ複数のイメージのそれぞれの間を示す区切り位置が、前記第一媒体片量に対応する基準位置までにあるか否かが判断され、前記基準位置までに前記区切り位置があると判断された場合、前記印刷情報に基づいて前記印刷部によって前記媒体への印刷が行われた後、前記基準位置までにある少なくとも１つの前記区切り位置のうち前記基準位置に最も近い前記区切り位置である特定区切り位置に対応する位置が前記挟持部によって挟持され、前記媒体が前記特定区切り位置において前記フルカッタによってフルカットされてもよい。この場合、特定区切り位置でフルカットされて媒体片が作成されると、媒体片量は、第一媒体片量を超えない。実際に作成される媒体片の媒体片量は、基準位置までにある複数の区切り位置のうち基準位置に最も近い区切り位置以外の区切り位置で媒体がフルカットされる場合よりも、作成される予定であった媒体片の媒体片量（第二媒体片量）に近くなる。よって、プリンタは、実際に作成される媒体片の媒体片量を、作成される予定であった媒体片の媒体片量に近づけつつ、媒体片が自重によって挟持部から外れることを抑制できる。
【００１０】
本発明の第一態様および第二態様に係るプリンタは、前記印刷部よりも前記搬送方向下流、且つ前記挟持部よりも前記搬送方向上流に設けられ、前記挟持部によって挟持された前記媒体をハーフカットするハーフカッタを備え、前記区切り位置は、前記ハーフカッタによってハーフカットされる位置であってもよい。この場合、第二媒体片量が第一媒体片量を超えると、プリンタは、ハーフカットされる予定だった位置でフルカットする。よって、プリンタは、印刷が行われる部分への影響をなくしつつ、媒体片が自重によって挟持部から外れることを抑制できる。
【００１１】
本発明の第一態様および第二態様に係るプリンタにおいて、前記第二処理では、報知部による報知が行われてもよい。この場合、プリンタは、第二媒体片量が第一媒体片量を超過していることをユーザに把握させることができる。
【図面の簡単な説明】
【００１２】
【図１】プリンタ１の斜視図である。
【図２】筐体２の一部を除いた図１のＡ−Ａ線矢視方向の断面図である。
【図３】排出ローラ２２がニップ位置にあるときにおける図２の領域Ｗの拡大図である。
【図４】排出ローラ２２がリリース位置にあるときにおける図２の領域Ｗの拡大図である。
【図５】プリンタ１の電気的構成を示すブロック図である。
【図６】メイン処理のフローチャートである。
【図７】印刷情報の一例を説明するための図である。
【図８】第一媒体片量特定テーブル８３１の概念図である。
【図９】超過時処理のフローチャートである。
【発明を実施するための形態】
【００１３】
以下、本発明の一実施形態に係るプリンタ１について図面を参照して説明する。参照する図面は、本発明が採用しうる技術的特徴を説明するために用いられるものである。図面に記載されている装置の構成は、それのみに限定する趣旨ではなく、単なる説明例である。
【００１４】
図１〜図４を参照し、プリンタ１を説明する。以下では、図１の左下側、右上側、右下側、左上側、上側、および下側を、それぞれ、プリンタ１の左側、右側、前側、後側、上側、および下側と定義する。プリンタ１は、ネットワーク、ケーブル（図示略）等を介して外部端末（図示略）に接続できる。外部端末は、パーソナルコンピュータ、スマートフォン等である。プリンタ１は、例えば外部端末から印刷情報を取得する。プリンタ１は、取得された印刷情報に基づいて媒体５にイメージを印刷できる。
【００１５】
図１に示すように、プリンタ１は、筐体２とカバー３とを備える。カバー３は、筐体２によって回動可能に支持され、筐体２の上面に対して開閉できる。筐体２の前面の左上角部には、入力部４が設けられる。ユーザは、入力部４を操作することで、各種情報をプリンタ１に入力できる。入力部４の下方には、表示部９が設けられる。表示部９は、各種情報を表示できる。入力部４の右方には、媒体片排出口１１が設けられる。媒体片排出口１１は、開口であり、上下方向に延びる。媒体片排出口１１は、後述の媒体片５１を筐体２の外に排出する。筐体２の上面には、装着部６が設けられる。装着部６は、筐体２の上面から下方に凹む。装着部６には、カセット７が着脱可能に装着される。
【００１６】
図２に示すように、装着部６には、サーマルヘッド６０、駆動軸６１、およびリボン巻取軸６２が設けられる。サーマルヘッド６０は、ヘッドホルダ６９の左面に設けられる。ヘッドホルダ６９は、装着部６の左部に設けられる。駆動軸６１は、ヘッドホルダ６９の前側に設けられ、上下方向に延びる。リボン巻取軸６２は、ヘッドホルダ６９の右後側に設けられ、上下方向に延びる。
【００１７】
装着部６の左後側には、軸６４が設けられる。軸６４は、上下方向に延び、プラテンホルダ６３の後端部を回転可能に支持する。プラテンホルダ６３は、プラテンローラ６５および搬送ローラ６６を、それぞれ、回転可能に支持する。プラテンローラ６５は、サーマルヘッド６０に左側から対向する。搬送ローラ６６は、プラテンローラ６５の前側に設けられ、駆動軸６１に左側から対向する。プラテンホルダ６３の前端部が軸６４を中心に略左右方向に揺動することで、プラテンローラ６５および搬送ローラ６６は、それぞれ、サーマルヘッド６０および駆動軸６１に対して、近接する位置（図２参照）と離隔する位置（図示略）とに移動する。
【００１８】
駆動軸６１、リボン巻取軸６２、プラテンローラ６５、および搬送ローラ６６は、それぞれ、ギア（図示略）を介して搬送モータ９１（図５参照）と連結する。搬送モータ９１が駆動すると、駆動軸６１、プラテンローラ６５、および搬送ローラ６６は、媒体５を搬送方向下流（前方）に搬送するように回転し、リボン巻取軸６２は、インクリボン８を巻き取るように回転する。
【００１９】
図３に示すように、筐体２の内部において、媒体片排出口１１の後側近傍には、切断ユニット１０と排出ユニット２０とが設けられる。切断ユニット１０は、フルカッタ１２とハーフカッタ１３とを備える。フルカッタ１２は、サーマルヘッド６０および搬送ローラ６６よりも搬送方向下流に設けられ、媒体５をフルカットできる。媒体５のフルカットは、媒体５を完全に２つに切り離す動作である。ハーフカッタ１３は、フルカッタ１２よりも搬送方向下流に設けられ、媒体５をハーフカットできる。媒体５のハーフカットは、媒体５の厚み方向（図３の左右方向）の一部を残して、幅方向（図３の上下方向）に沿って媒体５を切断する動作である。
【００２０】
フルカッタ１２およびハーフカッタ１３は、それぞれ、ギア（図示略）を介して切断モータ９２（図５参照）と連結する。切断モータ９２は、正転駆動および逆転駆動が可能である。切断モータ９２が逆転駆動すると、ハーフカッタ１３が媒体５をハーフカットする。切断モータ９２が正転駆動すると、フルカッタ１２が媒体５をフルカットする。以下では、フルカットされることで作成される媒体５を、「媒体片５１」という。すなわち、媒体片５１は、媒体５のうちフルカットされたときに切り離される部分を示す。
【００２１】
排出ユニット２０は、排出ローラ２２、対向ローラ２３、ローラホルダ２５、および移動機構２７を備える。排出ローラ２２および対向ローラ２３は、フルカッタ１２およびハーフカッタ１３よりも搬送方向下流に設けられる。排出ローラ２２は、媒体５の左側で上下方向に延びる。対向ローラ２３は、媒体５の右側で上下方向に延びる。排出ローラ２２および対向ローラ２３は、媒体５を挟んで互いに左右方向に対向する。排出ローラ２２および対向ローラ２３は、弾性体である。
【００２２】
ローラホルダ２５は、排出ローラ２２を支持する。ローラホルダ２５には、長穴２６が設けられる。移動機構２７は、回転体２８と偏心軸２９とを備える。偏心軸２９は、回転体２８から上方に延び、長穴２６に挿入される。偏心軸２９は、回転体２８に対して偏心する。回転体２８は、ギア（図示略）を介して排出モータ９３（図５参照）と連結する。
【００２３】
図３、図４に示すように、排出モータ９３が駆動すると、ギアを介して回転体２８が回転する。これにより、偏心軸２９はローラホルダ２５を左右方向に移動させる。このように、移動機構２７は、排出ローラ２２を、対向ローラ２３に対して接近する方向または離隔する方向に移動させる。以下では、排出ローラ２２が対向ローラ２３に近接する位置を、「ニップ位置」という（図３参照）。排出ローラ２２が対向ローラ２３から左側に離隔する位置を、「リリース位置」という（図４参照）。図３に示すように、排出ローラ２２は、ニップ位置にある場合、対向ローラ２３と接触する。したがって、排出ローラ２２は、ニップ位置にある場合、対向ローラ２３との間で媒体５を挟持する。図４に示すように、排出ローラ２２は、リリース位置にある場合、媒体５の厚みよりも大きな距離を空けて対向ローラ２３から離隔する。したがって、排出ローラ２２は、リリース位置にある場合、媒体５から離隔する。
【００２４】
図２を参照し、カセット７を説明する。以下では、装着部６にカセット７が装着されたときの姿勢を基準として、カセット７の構成を説明する。カセット７は、レセプタタイプ、サーマルタイプ、ラミネートタイプ等として使用可能である。図２では、一例としてレセプタタイプのカセット７を示す。
【００２５】
カセット７はケース７０を備える。ケース７０の左前部には、ヘッド開口７１および媒体排出口７３が設けられる。ヘッド開口７１は、ケース７０を上下方向に貫通し、且つ媒体排出口７３と駆動ローラ７２との間で左方に開口する。ヘッド開口７１には、ヘッドホルダ６９とサーマルヘッド６０が挿入される。媒体排出口７３は、ヘッド開口７１の左側に設けられ、前方に開口する。
【００２６】
ケース７０には、駆動ローラ７２および支持孔７５〜７８が設けられる。駆動ローラ７２は、ケース７０の左前角部に設けられ、上下方向に延びる。駆動ローラ７２は、円筒体であり、ケース７０によって回転可能に支持される。駆動ローラ７２には、駆動軸６１が挿入される。駆動ローラ７２の左端部は、ケース７０から外部に露出し、搬送ローラ６６との間で媒体５を挟む。
【００２７】
支持孔７５は、ケース７０を上下方向に貫通し、第一媒体スプール４１を回転可能に支持する。第一媒体スプール４１には、第一媒体が巻回される。支持孔７６は、ケース７０を上下方向に貫通し、第二媒体スプール（図示略）を回転可能に支持する。第二媒体スプールには、第二媒体が巻回される。支持孔７７は、ケース７０を上下方向に貫通し、リボン供給スプール４３を回転可能に支持する。リボン供給スプール４３には、印刷に使用される前のインクリボン８が巻回される。支持孔７８は、ケース７０を上下方向に貫通し、リボン巻取スプール４５を回転可能に支持する。リボン巻取スプール４５には、印刷に使用された後のインクリボン８が巻き取られて巻回される。リボン巻取スプール４５は円筒状である。リボン巻取スプール４５には、リボン巻取軸６２が挿入される。
【００２８】
レセプタタイプでは、カセット７は、第二媒体スプールを備えず、第一媒体スプール４１とリボン供給スプール４３とリボン巻取スプール４５とを備える。第一媒体スプール４１には、第一媒体として媒体５が巻回される。媒体５には、ノンラミネートテープ、ファブリックテープ、サテンテープ、ヒートシュリンクチューブ等が用いられる。なお、サーマルタイプでは、カセット７は、第二媒体スプールとリボン供給スプール４３とリボン巻取スプール４５とを備えず、第一媒体スプール４１を備える（図示略）。第一媒体には、感熱テープが用いられる。ラミネートタイプでは、カセット７は、第一媒体スプール４１と第二媒体スプールとリボン供給スプール４３とリボン巻取スプール４５とを備える（図示略）。第一媒体には、両面粘着テープが用いられる。第二媒体には、フィルムテープが用いられる。ラミネートタイプでは、搬送ローラ６６と駆動ローラ７２との間で両面粘着テープにフィルムテープが重ね合わさって、ラミネートテープとして排出される。
【００２９】
上記構成によれば、カバー３（図１参照）が閉じられると、プラテンローラ６５および搬送ローラ６６が、それぞれ、サーマルヘッド６０および駆動軸６１に左側から近接する位置に移動する。これにより、プラテンローラ６５は媒体５とインクリボン８を重ね合わせてサーマルヘッド６０に押圧する。搬送ローラ６６は、媒体５を駆動ローラ７２に押圧する。
【００３０】
搬送モータ９１（図５参照）の駆動によってリボン巻取軸６２が回転すると、インクリボン８は、リボン巻取スプール４５によって巻き取られることで、リボン供給スプール４３から繰り出される。繰り出されたインクリボン８は、媒体排出口７３からヘッド開口７１の左前部に引き出される。引き出されたインクリボン８は、プラテンローラ６５とサーマルヘッド６０との間を経由して、リボン巻取スプール４５へ向けて搬送される。
【００３１】
搬送モータ９１の駆動によって駆動軸６１、プラテンローラ６５、および搬送ローラ６６が回転すると、媒体５は、第一媒体スプール４１から繰り出される。繰り出された媒体５は、媒体排出口７３からヘッド開口７１の左前部に引き出される。引き出された媒体５は、プラテンローラ６５とサーマルヘッド６０との間、搬送ローラ６６と駆動ローラ７２との間を経由して、切断ユニット１０に向けて搬送される。
【００３２】
図５を参照し、プリンタ１の電気的構成を説明する。プリンタ１は、ＣＰＵ８１を備える。ＣＰＵ８１は、後述するメイン処理（図６参照）を実行するプロセッサとして機能し、プリンタ１を統括制御する。ＣＰＵ８１には、フラッシュメモリ８２、ＲＯＭ８３、ＲＡＭ８４、サーマルヘッド６０、搬送モータ９１、切断モータ９２、排出モータ９３、入力部４、および表示部９が接続される。フラッシュメモリ８２は、非一時的な記憶媒体であり、ＣＰＵ８１にメイン処理を実行させるためのプログラム等を記憶する。ＲＯＭ８３は、非一時的な記憶媒体であり、各種プログラムの実行時にＣＰＵ８１が必要な各種パラメータを記憶する。ＲＯＭ８３には、後述する第一媒体片量特定テーブル８３１（図８参照）が記憶される。ＲＡＭ８４は、一時的な記憶媒体であり、タイマ、カウンタ、フラグ等の一時的な情報を記憶する。
【００３３】
図６を参照し、メイン処理を説明する。ユーザは、装着部６にカセット７を装着し、カバー３を閉じた状態で、プリンタ１の電源を投入する。プリンタ１の電源が投入されると、ＣＰＵ８１は、フラッシュメモリ８２に記憶されたプログラムをＲＡＭ８４において展開することで、メイン処理を開始する。
【００３４】
図６に示すように、メイン処理が開始されると、ＣＰＵ８１は、モード設定処理を行う（Ｓ１１）。ユーザは、入力部４を操作することで、自動フルカットモードを設定するか否かを選択する。モード設定処理では、ＣＰＵ８１は、ユーザによる入力部４の操作に応じて、自動フルカットモードをＲＡＭ８４に設定する。
【００３５】
ＣＰＵ８１は、媒体種類取得処理を行う（Ｓ１２）。カセット７に収容される媒体５には、媒体の材質（ノンラミネートテープ、ファブリックテープ、サテンテープ、ヒートシュリンクチューブ、感熱テープ、ラミネートテープ等）、媒体の幅等に応じて様々な種類（以下、「媒体種類」という。）がある。ユーザは外部端末を操作することで、媒体種類をプリンタ１に入力する。媒体種類取得処理では、ＣＰＵ８１は、ネットワーク、ケーブル等を介して外部端末から媒体種類を取得する。ＣＰＵ８１は、取得された媒体種類をＲＡＭ８４に記憶する。
【００３６】
ＣＰＵ８１は、印刷情報取得処理を行う（Ｓ１３）。ユーザは外部端末を操作することで、サーマルヘッド６０による媒体５への印刷を行うための印刷情報をプリンタ１に入力する。印刷情報取得処理では、ＣＰＵ８１は、ネットワーク、ケーブル等を介して外部端末から印刷情報を取得する。ＣＰＵ８１は、取得された印刷情報をＲＡＭ８４に記憶する。
【００３７】
印刷情報は、イメージ情報、フルカット位置情報、ハーフカット位置情報、媒体片量情報等を含む。イメージ情報は、媒体５に印刷されるイメージを示し、イメージが複数ある場合には、印刷順に並ぶ複数のイメージを示す。フルカット位置情報は、フルカットされる媒体５の搬送方向位置（以下、「フルカット位置」という。）を示す。フルカット位置が複数ある場合には、隣り合う２つのフルカット位置間の１または複数のイメージの単位を、「イメージ群」という。すなわち、複数のイメージ群がある場合には、フルカット位置は、印刷順に並ぶ複数のイメージ群のそれぞれの間を示す。ハーフカット位置情報は、ハーフカットされる媒体５の搬送方向位置（以下、「ハーフカット位置」という。）を示す。イメージ群に複数のイメージがある場合には、ハーフカット位置は、印刷順に並ぶ複数のイメージのそれぞれの間を示す。なお、ハーフカットが行われない場合には、ハーフカット位置情報は印刷情報に含まれない。媒体片量情報は、媒体片５１に基づく量（以下、「媒体片量」という。）を示す。本実施形態の媒体片量は、媒体片５１の搬送方向下流端から、フルカットされる場合に排出ローラ２２と対向ローラ２３との間で挟持される媒体５の搬送方向位置（以下、「媒体ニップ位置」という。）までの間の媒体片５１の搬送方向長さを示す。媒体ニップ位置は、フルカット位置に対応する。すなわち、媒体ニップ位置は、媒体５において、フルカット位置に対して常に同じ距離だけ搬送方向下流に位置する。
【００３８】
以下では、図７（Ａ）に示すイメージを媒体５に印刷するための印刷情報が取得された場合を適宜例に挙げて説明する。図７では、フルカットされる媒体５の位置を破線で示し、ハーフカットされる媒体５の位置を一点鎖線で示す。図７（Ａ）に示すように、イメージ情報は、複数のイメージＡ１、Ａ２、Ａ３、Ａ４、Ａ５、Ａ６・・・を示す。フルカット位置情報は、位置Ｃ４を示す。ハーフカット位置情報は、位置Ｃ１、Ｃ２、Ｃ３、Ｃ５を示す。媒体片量情報は、長さＬ２を示す。なお、位置Ｂ１は、位置Ｃ４に対応する媒体ニップ位置（つまり、位置Ｃ４でフルカットされる場合に排出ローラ２２と対向ローラ２３との間で挟持される媒体５の搬送方向位置）である。複数のイメージＡ１、Ａ２、Ａ３、Ａ４が１つのイメージ群である。
【００３９】
図６に示すように、ＣＰＵ８１は、印刷指示取得処理を行う（Ｓ１４）。ユーザは入力部４を操作することで、媒体５への印刷を行うための印刷指示をプリンタ１に入力する。印刷指示取得処理では、ＣＰＵ８１は、ユーザによって入力された印刷指示を取得する。
【００４０】
ＣＰＵ８１は、第一媒体片量特定テーブル８３１（図８参照）を参照し、取得された媒体種類に応じた媒体片量（以下、「第一媒体片量」という。）を特定する（Ｓ２１）。図８に示すように、第一媒体片量特定テーブル８３１には、媒体片量が媒体種類毎に定められている。詳細には、第一媒体片量特定テーブル８３１には、媒体５の材質（ラミネートテープ、ヒートシュリンクチューブ、ノンラミネートテープ、サテンテープ、ファブリックテープ、感熱テープ）および媒体５の幅（１８ｍｍ、２４ｍｍ、４８ｍｍ）毎に媒体片量が定められている。図７（Ａ）の例の媒体種類では、長さＬ１を第一媒体片量とする。なお、第一媒体片量特定テーブル８３１には、例えばプリンタ１の設計段階において、実験、シミュレーション等の結果に応じて媒体片量が定められる。本実施形態の第一媒体片量特定テーブル８３１には、プリンタ１が排出ローラ２２と対向ローラ２３との間で媒体片５１を挟持した状態を維持できる最大の媒体片量が定められる。
【００４１】
図６に示すように、ＣＰＵ８１は、ＲＡＭ８４に記憶されている印刷情報に基づく媒体片量（以下、「第二媒体片量」という。）を特定する（Ｓ２２）。第二媒体片量は、媒体片量情報が示す媒体片量である。図７（Ａ）の例では、長さＬ２が第二媒体片量である。ＣＰＵ８１は、Ｓ２２で特定された第二媒体片量がＳ２１で特定された第一媒体片量よりも大きいか否かを判断する（Ｓ２３）。
【００４２】
第二媒体片量が第一媒体片量以下の場合（Ｓ２３：ＮＯ）、ＣＰＵ８１は、ＲＡＭ８４に記憶されている印刷情報に基づいて印刷処理を行う（Ｓ２４）。ＣＰＵ８１は、１回の印刷処理で１つのイメージ群の印刷と１回のフルカットとを行う。詳細には、印刷処理では、ＣＰＵ８１は、排出モータ９３を駆動することで、排出ローラ２２をリリース位置（図４参照）に移動させる。これにより、プリンタ１は、印刷処理中に排出ローラ２２が媒体５の搬送を妨げることを抑制できる。ＣＰＵ８１は、印刷情報に基づいて搬送モータ９１およびサーマルヘッド６０を制御する。これにより、搬送ローラ６６によって媒体５が搬送されながら、サーマルヘッド６０による媒体５へのイメージの印刷が行われる。媒体５の各ハーフカット位置がハーフカッタ１３の位置に位置した場合、ＣＰＵ８１は、排出モータ９３を駆動することで、排出ローラ２２をニップ位置（図３参照）に移動させる。ＣＰＵ８１は、媒体５の搬送が停止された状態で切断モータ９２を逆転駆動することで、媒体５をハーフカット位置でハーフカットする。すなわち、プリンタ１では、イメージ毎にハーフカットが行われる。ＣＰＵ８１は、排出モータ９３を駆動することで、排出ローラ２２をリリース位置（図４参照）に移動させる。ＣＰＵ８１は、媒体５へのイメージの印刷とハーフカットとを、イメージ群の印刷が終了するまで繰り返す。媒体５のフルカット位置がフルカッタ１２の位置に位置した場合、ＣＰＵ８１は、排出モータ９３を駆動することで、排出ローラ２２をニップ位置（図３参照）に移動させる。ＣＰＵ８１は、切断モータ９２を正転駆動することで、媒体５をフルカットする。これにより、媒体片５１が作成される。第二媒体片量が第一媒体片量以下なので、プリンタ１は、排出ローラ２２と対向ローラ２３との間で媒体片５１が挟持された状態を維持できる。ユーザは、排出ローラ２２と対向ローラ２３との間から媒体片５１を取り外す。よって、プリンタ１は、排出ローラ２２と対向ローラ２３との間から媒体片５１が自重によって外れることを抑制できる。ＣＰＵ８１は処理をＳ２６へ移行する。
【００４３】
第二媒体片量が第一媒体片量よりも大きい場合（Ｓ２３：ＹＥＳ）、ＣＰＵ８１は超過時処理（図９参照）を行う（Ｓ２５）。図７（Ａ）の例では、長さＬ２が長さＬ１よりも長いので、ＣＰＵ８１は超過時処理を行う。処理はＳ２６へ移行する。
【００４４】
図９を参照し、超過時処理を説明する。ＣＰＵ８１は、ＲＡＭ８４に記憶されている印刷情報に基づいて、媒体片５１の搬送方向下流端から、第一媒体片量に対応する位置（以下、「基準位置」という。）までにハーフカット位置があるか否かを判断する（Ｓ３１）。基準位置は、媒体片５１の搬送方向下流端との間の長さが、第一媒体片量に対応する長さとなる位置である。図７（Ａ）の例では、媒体片５１の搬送方向下流端との間の長さが長さＬ１となる位置Ｂ２が基準位置となる。
【００４５】
基準位置までにハーフカット位置がない場合（Ｓ３１：ＮＯ）、ＣＰＵ８１は処理をＳ３３へ移行する。基準位置までにハーフカット位置がある場合（Ｓ３１：ＹＥＳ）、ＣＰＵ８１は自動フルカットモードがＲＡＭ８４に設定されているか否かを判断する（Ｓ３２）。自動フルカットモードがＲＡＭ８４に設定されていない場合（Ｓ３２：ＮＯ）、ＣＰＵ８１は処理をＳ３３へ移行する。自動フルカットモードがＲＡＭ８４に設定されている場合（Ｓ３２：ＹＥＳ）、ＣＰＵ８１は処理をＳ３５へ移行する。
【００４６】
Ｓ３３では、ＣＰＵ８１は、作成される媒体片５１が排出ローラ２２と対向ローラ２３との間で挟持された状態を維持できない可能性がある旨の警告報知を行う（Ｓ３３）。本実施形態では、ＣＰＵ８１は、警告表示を表示部９に表示することで、警告報知を行う。警告表示は、例えば「ラベルをニップできない可能性があるので、ご注意ください。」等の表示である。ＣＰＵ８１は、ＲＡＭ８４に記憶されている印刷情報に基づいて印刷処理を行う（Ｓ３４）。Ｓ３４の処理は、Ｓ２４（図６参照）の処理と同じであるので、説明を省略する。なお、第二媒体片量が第一媒体片量よりも大きいので、プリンタ１は、排出ローラ２２と対向ローラ２３との間で媒体片５１が挟持された状態を維持できない可能性がある。この場合、Ｓ３３で事前に警告報知が行われているので、排出ローラ２２と対向ローラ２３との間から媒体片５１が自重によって外れたとしても、ユーザは、外れた媒体片５１に対して対応できる。ＣＰＵ８１は処理をメイン処理（図６参照）へ戻す。
【００４７】
Ｓ３５では、ＣＰＵ８１は、ＲＡＭ８４に記憶されている印刷情報において、基準位置までにある少なくとも１つのハーフカット位置のうち基準位置に最も近い（つまり、直前の）ハーフカット位置（以下、「特定ハーフカット位置」という。）をフルカット位置に設定する（Ｓ３５）。図７（Ａ）の例では、位置Ｂ２までに位置Ｃ１〜Ｃ３がある。位置Ｃ１〜Ｃ３のうち、基準位置に最も近い位置Ｃ３が特定ハーフカット位置となる。図７（Ｂ）に示すように、位置Ｃ３がフルカット位置に設定される。この場合、複数のイメージＡ１、Ａ２、Ａ３が１つのイメージ群となる。位置Ｂ３は、位置Ｃ３に対応する媒体ニップ位置（つまり、位置Ｃ３でフルカットされる場合に排出ローラ２２と対向ローラ２３との間で挟持される媒体５の搬送方向位置）である。よって、作成される媒体片５１の媒体片量は、長さＬ３である。したがって、長さＬ３は長さＬ１よりも短くなる。
【００４８】
ＣＰＵ８１は、ＲＡＭ８４に記憶されている変更後の印刷情報に基づいて、印刷処理を行う（Ｓ３６）。この場合、ＣＰＵ８１は、切断モータ９２を正転駆動することで、媒体５を特定ハーフカット位置でフルカットする。Ｓ３６の処理において、その他の点は、Ｓ２４の処理と同じであるので、説明を省略する。図７（Ｂ）の例では、媒体５は、位置Ｂ３で排出ローラ２２と対向ローラ２３との間で挟持され、位置Ｃ３でフルカットされる。作成された媒体片５１の媒体片量（長さＬ３）は第一媒体片量（長さＬ１）以下なので、プリンタ１は、排出ローラ２２と対向ローラ２３との間で媒体片５１が挟持された状態を維持できる。ユーザは、排出ローラ２２と対向ローラ２３との間から媒体片５１を取り外す。よって、プリンタ１は、排出ローラ２２と対向ローラ２３との間から媒体片５１が自重によって外れることを抑制できる。ＣＰＵ８１は処理をメイン処理へ戻す。
【００４９】
図６に示すように、Ｓ２４の処理またはＳ２５の処理の後、ＣＰＵ８１は、ＲＡＭ８４に記憶されている印刷情報に基づいて、残りの印刷があるか否かを判断する（Ｓ２６）。まだ印刷されていないイメージ群を示すイメージ情報があれば、ＣＰＵ８１は残りの印刷があると判断する（Ｓ２６：ＹＥＳ）。この場合、ＣＰＵ８１は処理をＳ２１へ戻す。全てのイメージ群の印刷が終了した場合には、ＣＰＵ８１は残りの印刷がないと判断する（Ｓ２６：ＮＯ）、この場合、ＣＰＵ８１はメイン処理を終了する。
【００５０】
以上説明したように、第二媒体片量が第一媒体片量を超えない場合（Ｓ２３：ＮＯ）、ＣＰＵ８１は印刷処理を実行する（Ｓ２５）。第二媒体片量が第一媒体片量を超える場合（Ｓ２３：ＹＥＳ）、ＣＰＵ８１は超過時処理を実行する（Ｓ２５）。このように、プリンタ１は、第二媒体片量が第一媒体片量を超えるか否かに応じて異なる処理を実行できる。よって、プリンタ１は、媒体片５１が自重によって排出ローラ２２と対向ローラ２３との間から外れることを抑制できる。
【００５１】
媒体５は、特定ハーフカット位置においてフルカッタ１２によってフルカットされる。特定ハーフカット位置は、基準位置までにある少なくとも１つのハーフカット位置のうち基準位置に最も近いハーフカット位置である。このため、特定ハーフカット位置でフルカットされて媒体片５１が作成された場合（Ｓ３５、Ｓ３６）、媒体片量は、第一媒体片量を超えない。実際に作成される媒体片５１の媒体片量は、基準位置までにある複数のハーフカット位置のうち基準位置に最も近いハーフカット位置以外のハーフカット位置で媒体５がフルカットされる場合よりも、作成される予定であった媒体片５１の媒体片量（第二媒体片量）に近くなる。よって、プリンタ１は、実際に作成される媒体片５１の媒体片量を、作成される予定であった媒体片５１の媒体片量に近づけつつ、媒体片５１が自重によって排出ローラ２２と対向ローラ２３との間から外れることを抑制できる。
【００５２】
第二媒体片量が第一媒体片量を超えると（Ｓ２３：ＹＥＳ）、プリンタ１は、ハーフカットされる予定だった位置（特定ハーフカット位置）で媒体５をフルカットする（Ｓ３５、Ｓ３６）。よって、プリンタ１は、媒体５のうち印刷が行われる部分への影響をなくしつつ、媒体片５１が自重によって排出ローラ２２と対向ローラ２３との間から外れることを抑制できる。
【００５３】
超過時処理では、表示部９に警告表示が表示される（Ｓ３３）。よって、プリンタ１は、第二媒体片量が第一媒体片量を超過していることをユーザに把握させることができる。すなわち、ユーザは、作成された媒体片５１が、排出ローラ２２と対向ローラ２３との間から外れる可能性があることを把握できる。
【００５４】
上記実施形態において、サーマルヘッド６０が、本発明の「印刷部」に相当する。搬送ローラ６６が、本発明の「搬送部」に相当する。排出ローラ２２および対向ローラ２３が、本発明の「挟持部」に相当する。図６のＳ１２の処理を実行するＣＰＵ８１が、本発明の「取得手段」に相当する。第一媒体片量特定テーブル８３１が、本発明の「テーブル」に相当する。図６のＳ２１の処理を実行するＣＰＵ８１が、本発明の「特定手段」に相当する。図６のＳ２３の処理を実行するＣＰＵ８１が、本発明の「判断手段」に相当する。図６のＳ２４の処理が、本発明の「第一処理」に相当する。図６のＳ２４の処理を実行するＣＰＵ８１が、本発明の「第一実行手段」に相当する。図６のＳ２５の処理が、本発明の「第二処理」に相当する。図６のＳ２５の処理を実行するＣＰＵ８１が、本発明の「第二実行手段」に相当する。本発明のハーフカット位置が、本発明の「区切り位置」に相当する。表示部９が、本発明の「報知部」に相当する。
【００５５】
本発明は、上記実施形態から種々の変更が可能である。例えば、上記実施形態では、Ｓ２１の処理において、ＣＰＵ８１は、第一媒体片量特定テーブル８３１に基づいて、第一媒体片量を特定する。これに対し、Ｓ２１に処理において、ＣＰＵ８１は、媒体種類に応じて媒体片量を算出するための算出式に基づいて、第一媒体片量を算出してもよい。以下の式（１）は、算出式の一例である。なお、式（１）以外の式が算出式として用いられてもよい。
Ｌ＝ｆＮ／ｄＷＴ  ・・・（１）
Ｌ：第一媒体片量（単位：ｍｍ）
Ｎ：媒体種類によらない固定値（単位：ｍｍ３）
ｆ：媒体５の摩擦係数（単位：−）
Ｗ：媒体５の幅（単位：ｍｍ）
Ｔ：媒体５の厚み（単位：ｍｍ）
ｄ：媒体５の比重（単位：−）
【００５６】
式（１）において、固定値（Ｎ）は、例えばプリンタ１の設計段階において、実験、シミュレーション等により予め定められる。例えば媒体５の厚み（Ｔ）と媒体５の比重（ｄ）は、媒体種類によらず一定とみなされてもよい。この場合、プリンタ１は、Ｓ１２の処理で媒体５の幅（Ｗ）と媒体５の摩擦係数（ｆ）を取得すれば、第一媒体片量を算出できる。この変形例によれば、プリンタ１は、上記実施形態と同様の効果を奏するとともに、より多くの媒体種類に対応できる。この場合、Ｓ２１の処理を実行するＣＰＵ８１が、本発明の「算出手段」に相当する。なお、媒体種類に応じた幅および摩擦係数が定められたテーブルが、ＲＯＭ８３にあらかじめ記憶されていてもよい。この場合、プリンタ１は、Ｓ１２の処理で媒体種類を取得すれば、テーブルを参照することで、媒体５の幅（Ｗ）と媒体５の摩擦係数（ｆ）を取得した媒体種類に応じて特定し、第一媒体片量を算出できる。式（１）において、媒体５の厚み（Ｔ）および媒体５の比重（ｄ）の少なくともいずれか一方が媒体種類に応じて考慮されてもよいし、媒体５の比重（ｄ）は媒体種類によらず一定とみなされてもよい。
【００５７】
上記実施形態では、ユーザは、外部端末を操作することで、媒体種類および印刷情報をプリンタ１に入力する。これに対し、ユーザは、入力部４を操作することで、媒体種類および印刷情報をプリンタ１に入力してもよい。上記実施形態では、ユーザは、入力部４を操作することで、自動フルカットモードの設定をし、印刷指示をプリンタ１に入力する。これに対し、ユーザは、外部端末を操作することで、自動フルカットモードの設定をし、印刷指示をプリンタ１に入力してもよい。
【００５８】
ケース７０および媒体５の一方または両方には、ＱＲコード（登録商標）、バーコード、ＲＦ（Ｒａｄｉｏ  Ｆｒｅｑｕｅｎｃｙ）タグ等の記憶部（図示略）が設けられてもよい。記憶部は、媒体５に設けられる場合には、詳細には、媒体５のコア（例えば、第一媒体スプール４１）に設けられるとよい。記憶部には、ケース７０に収容される媒体５に応じた媒体種類を示す情報が記憶される。ケース７０には、識別部（図示略）が設けられてもよい。識別部は、ケース７０に収容される媒体５に応じた媒体種類を示すパターンで形成された凸部または凹部である。カセット７は、記憶部および識別部の一方または両方を備えてもよい。プリンタ１は、各記憶部および識別部に応じた読取部（図示略）を備えてもよい。読取部は、記憶部または識別部から媒体種類を示す情報を読み取ってもよい。これにより、ＣＰＵ８１は、Ｓ１２の処理において、媒体種類を取得してもよい。
【００５９】
媒体種類を定める要素は、媒体５の材質および媒体５の幅に限定されない。媒体種類は、例えば媒体５の材質および媒体５の幅のいずれか一方に応じて定められてもよいし、媒体５の厚みが考慮されてもよいし、媒体５の比重および媒体５の幅に応じて定められてもよいし、単位搬送方向長さ当たりの質量に応じて定められてもよい。
【００６０】
切断ユニット１０は、１つのカッタで媒体５をフルカットまたはハーフカットできる構成であってもよい。この場合、１つのカッタは、本発明の「フルカッタ」および「ハーフカッタ」に相当する。すなわち、本発明の「ハーフカッタ」は、本発明の「フルカッタ」と同じ部材であってもよい。プリンタ１は、切断モータ９２を備えず、ユーザがフルカッタ１２およびハーフカッタ１３を操作することで、フルカットおよびハーフカットが行われる構成であってもよい。ハーフカッタ１３は、幅方向に延びるミシン目を媒体５に形成することで、媒体５をハーフカットしてもよい。
【００６１】
プリンタ１は、ハーフカッタ１３を備えなくてもよい。すなわち、プリンタ１は、ハーフカット位置で媒体５をハーフカットしなくてもよい。以下では、上記実施形態のハーフカットに相当する位置を、「区切り位置」という。プリンタ１は、例えば媒体５の区切り位置に、区切り位置であることを示すマークを印刷してもよい。媒体５の区切り位置には、区切り位置であることを示すマークがあらかじめ付されていてもよい。媒体５の区切り位置には、余白が設けられてもよい。これらの場合、ユーザは、作成された媒体片５１において区切り位置を認識できる。
【００６２】
ニップ位置では、排出ローラ２２は、媒体５の厚みよりも小さい距離を空けて対向ローラ２３と対向してもよい。リリース位置では、排出ローラ２２は、対向ローラ２３と媒体５の厚みよりも小さい距離を空けて対向ローラ２３と対向してもよい。排出ローラ２２が媒体５を対向ローラ２３に押圧する荷重が、ニップ位置よりもリリース位置の方が小さければよい。なお、排出ローラ２２は、ニップ位置とリリース位置との間を移動可能でなくてもよい。排出ローラ２２は、対向ローラ２３と接触する位置に常に位置してもよいし、媒体５の厚みよりも小さい距離を空けて対向ローラ２３と対向する位置に常に位置してもよい。排出ローラ２２に対して対向ローラ２３が移動してもよい。排出ローラ２２および対向ローラ２３の両方が移動してもよい。
【００６３】
排出ローラ２２および対向ローラ２３の一方または両方は、回転不能であってもよく（つまり、ローラでなくてもよく）、例えば板状であってもよい。この場合、プリンタ１は、簡易な構造で媒体片５１を挟持できる。排出ローラ２２および対向ローラ２３の一方または両方は、弾性体でなくてもよい。
【００６４】
超過時処理において、自動フルカットモードが設定されていない場合（Ｓ３２：ＮＯ）、ＣＰＵ８１は、印刷処理を行わず、警告報知（Ｓ３３）のみ行ってもよい。この場合、プリンタ１は、排出ローラ２２と対向ローラ２３との間から媒体片５１が外れる可能性がある場合に、媒体片５１を作成しない。よって、プリンタ１は、排出ローラ２２と対向ローラ２３との間から媒体片５１が自重によって外れることを抑制できる。第二媒体片量が第一媒体片量を超える場合（Ｓ２３：ＹＥＳ）、ＣＰＵ８１は、超過時処理の代わりに、例えば警告報知を行って、印刷処理を実行しない処理を行ってもよい。この場合、プリンタ１には、自動フルカットモードが設けられなくてもよい。
【００６５】
第二媒体片量が第一媒体片量を超える場合（Ｓ２３：ＹＥＳ）、プリンタ１は、少なくとも媒体片量が第一媒体片量を超えないようにフルカットするとよい。例えばＣＰＵ８１は、Ｓ３１の処理を実行せずに、Ｓ３５の処理において、媒体片量が第二媒体片量となるようにフルカット位置を設定してもよい。
【００６６】
上記実施形態では、ＣＰＵ８１は、表示部９において警告表示を行うことで、警告報知を行う。これに対し、プリンタ１は、ＬＥＤ、スピーカ等を備え、ＣＰＵ８１は、ＬＥＤによる点灯・点滅、スピーカからの音声出力等によって警告報知を行ってもよい。ＣＰＵ８１は、ネットワーク、ケーブル等を介して、外部端末に警告報知を行うための指示を送信してもよい。外部端末の制御部は、警告報知を行うための指示をプリンタ１から受信すると、外部端末の表示部等において警告報知を行ってもよい。
【００６７】
上記実施形態では、媒体片量は、作成される媒体片５１の搬送方向下流端から媒体ニップ位置までの間の媒体片５１の搬送方向長さである。これに対し、媒体片量は、作成される媒体片５１の搬送方向下流端からフルカット位置までの間の媒体片５１の搬送方向長さ（つまり、媒体片５１の全体の搬送方向長さ）であってもよい。媒体片量は、作成される媒体片５１の搬送方向下流端からフルカット位置までの間の媒体片５１の質量であってもよいし、媒体片５１の全体の質量であってもよい。上記実施形態では、第一媒体片量特定テーブル８３１には、プリンタ１が排出ローラ２２と対向ローラ２３との間で媒体片５１を挟持した状態を維持できる最大の媒体片量が設定される。これに対し、第一媒体片量特定テーブル８３１に設定される媒体片量は、プリンタ１が排出ローラ２２と対向ローラ２３との間で媒体片５１を挟持した状態を維持できる最大の媒体片量に限定されず、例えばプリンタ１が排出ローラ２２と対向ローラ２３との間で媒体片５１を挟持した状態を維持できる最大の媒体片量よりも小さくてもよい。この場合、プリンタ１は、媒体片５１が自重によって排出ローラ２２と対向ローラ２３との間から外れることをより確実に抑制できる。
【００６８】
ＣＰＵ８１の代わりに、マイクロコンピュータ、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔｓ）、ＦＰＧＡ（Ｆｉｅｌｄ  Ｐｒｏｇｒａｍｍａｂｌｅ  Ｇａｔｅ  Ａｒｒａｙ）等が、プロセッサとして用いられてもよい。メイン処理は、複数のプロセッサによって分散処理されてもよい。非一時的な記憶媒体は、情報を記憶する期間に関わらず、情報を留めておくことが可能な記憶媒体であればよい。非一時的な記憶媒体は、一時的な記憶媒体（例えば、伝送される信号）を含まなくてもよい。プログラムは、例えば、ネットワークに接続されたサーバからダウンロードされて（すなわち、伝送信号として送信され）、フラッシュメモリ８２に記憶されてもよい。この場合、プログラムは、サーバに備えられたハードディスクドライブ等の非一時的な記憶媒体に保存されていればよい。なお、上述した変形例は、矛盾が生じない限り、互いに組み合わせてもよい。
【符号の説明】
【００６９】
１    プリンタ
４    入力部
５    媒体
９    表示部
１２    フルカッタ
１３    ハーフカッタ
２２    排出ローラ
２３    対向ローラ
５１    媒体片
６０    サーマルヘッド
６６    搬送ローラ
８１    ＣＰＵ
８２    フラッシュメモリ
８３    ＲＯＭ
８４    ＲＡＭ
８３１    第一媒体片量特定テーブル
【図１】
2020142450.tif 000003
【図２】
2020142450.tif 000004
【図３】
2020142450.tif 000005
【図４】
2020142450.tif 000006
【図５】
2020142450.tif 000007
【図６】
2020142450.tif 000008
【図７】
2020142450.tif 000009
【図８】
2020142450.tif 000010
【図９】
2020142450.tif 000011